(57)【要約】【課題】履物類の梱包資材費を削減して引越コストを低減し、履物類の梱包・開梱作業を簡単にして全体の引越作業効率を上げ、しかも環境保全の社会的要請にも十分適合させる。【解決手段】履物類収納ボックスは、板材としてプラスチック製段ボールを用い、箱本体Ａと、箱本体内に組み付ける棚組立体Ｂを折り畳み自在に構成する。背板１には、組み立て時に回動側板２・３が係合される係合穴８と、折り畳み時に補強フレーム１０の掛止フック１７が掛け止められる掛止穴９を設ける。回動側板２・３は、切れ目ａを支点に内側へ揺動可能に形成し、他側部に、組み立て時に背板の係合穴と係合する係合凸部２ｃ・３ｃを設ける。屈曲端板４・５は、切れ目ｃ・ｄ・ｅにて内側へ折り込み可能に形成する。棚組立体Ｂは、折り畳み自在の多段な棚板２０と、剥離自在に貼り合わせた一対の仕切板２１・２２とで構成する。【選択図】        図１
2004331143.tif 000002
【特許請求の範囲】
【請求項１】
背板、該背板の両側縁に位置する左右の回動側板、前記背板の両端縁に位置する上下の屈曲端板とで正面開放の矩形箱形につくられる箱本体と、該箱本体内に組み付ける棚組立体を有し、いずれも２枚の基板間に芯材を挟んだ構造のプラスチック製段ボールを用いて全体に折り畳み自在に構成される引越用の履物類収納ボックスであって、
前記箱本体は、
正面開口を開閉する蓋板部を有すると共に、矩形枠状の開口縁に樹脂製補強フレームを嵌め付け、該補強フレームに、折り畳み時に使用する掛止フックを付設する一方、
前記背板には、その両側縁で直角に曲げ起こした被係止板片を有し、該被係止板片に、組み立て時に前記回動側板が係合される被係合部を設けると共に、折り畳み時に前記補強フレームの掛止フックが掛け止められる被掛止部を設け、
前記回動側板は、開口縁側の一側部に、前記段ボールの内側基板を残して長さ方向に切れ目を設け、該切れ目を支点として前記箱本体の内側へ揺動可能に形成する一方、他側部に、組み立て時に前記背板の被係合部に係合する係合部を設け、
前記屈曲端板は、両側部に、各々前記段ボールの内側基板を残して長さ方向に切れ目を設ける一方、両切れ目間に、前記段ボールの外側基板を残して長さ方向に切れ目を設けて、前記箱本体の内側へ折り込み可能に形成し、
前記棚組立体は、前記回動側板の内面にそれぞれ基端部を接着して前記箱本体の高さ方向に多段に配設する複数の水平な棚板と、各棚板の先端部に接着して前記箱本体内で垂直に保持される一対の仕切板とで構成し、各棚板を、その両端部に前記段ボールの下側基板を残して幅方向に切れ目を設けると共に、両切れ目間に、前記段ボールの下側基板を残して幅方向に切れ目を設けて各棚板を上向きに折り込み可能に形成する一方、前記仕切板を、互いの対向面を面ファスナーで貼り合わせて剥離自在に形成してなる、引越用の履物類収納ボックス。
【請求項２】
前記回動側板は、それぞれ前記他側部に、前記段ボールの内側基板を残して長さ方向に切れ目を設け、その切れ目で前記箱本体内に向けて屈曲させた折曲板部を有し、これら折曲板部の内側板面に、前記係合部と前記背板の被係合部との掛け止め合いを外す折り畳み時に使用する取っ手を付設してなる、請求項１に記載の引越用の履物類収納ボックス。
【請求項３】
前記棚組立体における最下段の棚板は、折り曲げ自在な前記先端部と基端部のいずれか一方又は双方を、前記仕切板又は前記回動側板に対し面ファスナーで貼り合わせて剥離自在に構成する一方、いずれか一方の端部を隔離したときは、その剥離側の端部を前記仕切板又は前記回動側板側に面ファスナーで貼着して折り重ねて、前記箱本体の最下段に長靴収納空間を形成してなる、請求項１又は２に記載の引越用の履物類収納ボックス。
【発明の詳細な説明】
【０００１】
【発明の属する技術分野】本発明は、各種の引越荷物の中でも、特に靴や下駄や草履等の履物類を梱包して輸送するのに好適な引越用の履物類収納ボックスに関する。
【０００２】
【従来の技術】従来、引越時に、靴や下駄や草履など各種の履物類を梱包する場合は、通常、それら履物を下駄箱などから取り出し、履物ごとに新聞紙など使用済みの紙類を使って包装し、その包んだ履物を直接に紙製段ボール箱に詰め込んだり、いったん靴箱などの小箱に入れてから、それら小箱を段ボール箱に詰め込んだりして箱詰めを行う。それから、さらに段ボール箱を粘着テープで必要な箇所をシールしてから運び出している。
【０００３】
【発明が解決しようとする課題】ところが、従来は、引越のたびに、大量の段ボール箱や梱包用紙類が必要であるが、これら段ボール箱などの梱包資材は、使用後に廃棄することになるので、それだけゴミが大量に発生し、これでは、環境保全上、資源を有効に利用すべきとする社会的要請に反して好ましくなく、重大な環境問題になっている。
【０００４】
また、履物を包装したり箱詰めしたりする梱包作業や、その後の開梱作業に時間と手間がかかり、それだけ全体に引越の作業効率が悪いという課題がある。しかも、引越のたびに、大量の段ボール箱など使い捨て梱包資材を調達する必要があり、これでは梱包資材費が嵩み、全体として引越コストが高くなるという課題もあった。
【０００５】
そこで、本発明の目的は、従来課題であった上述のような諸問題を解消し、履物類の梱包資材費を削減して引越コストを低減すると共に、梱包・開梱作業を簡単にして全体の引越作業効率を上げ、しかも環境保全の社会的要請にも十分適合する引越用の履物類収納ボックスを提供することにある。
【０００６】
【課題を解決するための手段】そのため、上記目的を達成すべく、請求項１に記載の発明は、たとえば以下に図面を用いて説明する実施の形態に示すとおり、背板１、該背板１の両側縁に位置する左右の回動側板２・３、前記背板１の両端縁に位置する上下の屈曲端板４・５とで正面開放の矩形箱形につくられる箱本体Ａと、該箱本体Ａ内に組み付ける棚組立体Ｂを有し、いずれも２枚の基板間に芯材を挟んだ構造のプラスチック製段ボールを用いて全体に折り畳み自在に構成される引越用の履物類収納ボックスであって、前記箱本体Ａは、正面開口Ｓを開閉する蓋板部１５を有すると共に、矩形枠状の開口縁に樹脂製補強フレーム１０を嵌め付け、該補強フレーム１０に、折り畳み時に使用する掛止フック１７を付設する一方、前記背板１には、その両側縁で直角に曲げ起こした被係止板片７を有し、該被係止板片７に、組み立て時に前記回動側板２・３が係合される係合穴８のような被係合部を設けると共に、折り畳み時に前記補強フレーム１０の掛止フック１７が掛け止められる掛止穴９のような被掛止部を設け、前記回動側板２・３は、開口縁側の一側部２ａ・３ａに、前記段ボールの内側基板を残して長さ方向に切れ目ａを設け、該切れ目ａを支点として前記箱本体Ａの内側へ揺動可能に形成する一方、他側部に、組み立て時に前記背板１の被係合部に係合する係合凸部２ｃ・３ｃのような係合部を設け、前記屈曲端板４・５は、両側部４ａ・４ｂ、５ａ・５ｂに、各々前記段ボールの内側基板を残して長さ方向に切れ目ｃ・ｄを設ける一方、両切れ目ｃ・ｄ間に、前記段ボールの外側基板を残して長さ方向に切れ目ｅを設けて、前記箱本体Ａの内側へ折り込み可能に形成し、前記棚組立体Ｂは、前記回動側板２・３の内面にそれぞれ基端部２０ａを接着して前記箱本体Ａの高さ方向に多段に配設する複数の水平な棚板２０…と、各棚板２０の先端部２０ｂに接着して前記箱本体Ａ内で垂直に保持される一対の仕切板２１・２２とで構成し、各棚板２０を、その両端部に前記段ボールの下側基板を残して幅方向に切れ目ｆ・ｆを設けると共に、両切れ目ｆ・ｆ間に、前記段ボールの下側基板を残して幅方向に切れ目ｇを設けて各棚板２０を上向きに折り込み可能に形成する一方、前記仕切板２１・２２を、互いの対向面２１ａ・２２ａを面ファスナーｍで貼り合わせて剥離自在に形成してなることを特徴とする。
【０００７】
請求項２に記載の発明は、請求項１に記載の引越用の履物類収納ボックスにおいて、たとえば以下に図面を用いて説明する実施の形態に示すとおり、前記回動側板２・３は、それぞれ前記他側部に、前記段ボールの内側基板を残して長さ方向に切れ目ｂを設け、その切れ目ｂで前記箱本体Ａ内に向けて屈曲させた折曲板部２ｂ・３ｂを有し、これら折曲板部２ｂ・３ｂの内側板面に、前記係合部と前記背板１の被係合部との掛け止め合いを外す折り畳み時に使用する取っ手１１を付設してなることを特徴とする。
【０００８】
請求項３に記載の発明は、請求項１又は２に記載の引越用の履物類収納ボックスにおいて、たとえば以下に図面を用いて説明する実施の形態に示すとおり、前記棚組立体Ｂにおける最下段の棚板２０は、折り曲げ自在な前記先端部２０ｂと基端部２０ａのいずれか一方又は双方を、前記仕切板２１・２２又は前記回動側板２・３に対し面ファスナーｍで貼り合わせて剥離自在に構成する一方、いずれか一方の端部を隔離したときは、その剥離側の端部を前記仕切板２１・２２又は前記回動側板２・３側に面ファスナーｍで貼着して折り重ねて、前記箱本体Ａの最下段に長靴収納空間Ｗを形成してなることを特徴とする。
【０００９】
【発明の実施の形態】以下、図面を参照しつつ、本発明の実施の形態について詳細に説明する。
【００１０】
図１は、本発明の引越用履物類収納ボックスの内部構造を、蓋板部を開けて示す斜視図、図２はその平面図、図３は履物類収納ボックスを使用状態で示す外観斜視図、図４はその側面図、図５はその端面図である。
【００１１】
図示例の履物類収納ボックスは、箱本体Ａと、箱本体Ａ内に組み付ける棚組立体Ｂとで構成される。箱本体Ａは、背板１と、背板１の両側縁に位置する左右の回動側板２・３と、背板１の両端縁に位置する上下の屈曲端板４・５とで、正面側を開放した縦長な矩形箱形につくられる。使用する板材は、いずれも２枚の基板間に芯材を挟んだ一体構造で、軽量且つ安価で、耐磨耗性・耐衝撃性の点でも優れたプラスチック製段ボールからなる。
【００１２】
背板１は、長尺矩形なプラスチック製段ボールの１枚板をコ形状に３つ折りし、そのうちの中間の縦長矩形な本体板部を用いて形成される。曲げ起こした両端の折曲板部で、詳しくは後述する上下の屈曲側板４・５を形成する。
【００１３】
そこで、まず背板１は、内面に被係止板片７を張り付けて２枚重ねの補強構造にしている。被係止板片７は、その長手な両側縁を直角に曲げ起こして断面Ｌ板状に成形し、その立ち上げ部分に起立部７ａを形成している。起立部７ａには、その折曲角位置に、組み立て時に回動側板２・３が係合される複数の係合穴（被係合部）８…を等間隔に設けている。また、起立部７ａの中間位置には、折り畳み時に、後述する補強フレーム１０の掛止フック１７が掛け止められる一対の掛止穴（被掛止部）９・９を横に並べてあけている。
【００１４】
回動側板２・３は、それぞれ指掛け穴６をあけた縦長矩形なプラスチック製段ボールの１枚板を、前記芯材が背板１に対し直交方向の剛性が高まる向きにして使用する。回動側板２・３のうち、一側（図中左側）の回動側板２は、一側部２ａの上端縁に、上から樹脂製補強フレーム１０の縦フレーム材１０ａを嵌着して固持している。回動側板２は、この一側部２ａに、図４に示すように、プラスチック製段ボールの内側基板を残して縦フレーム材１０ａに沿う長さ方向に切れ目ａを設け、その切れ目ａを支点として、図５中点線で示すように箱本体Ａの内側へ揺動できるようになっている。
【００１５】
斯かる回動側板２の他側部には、プラスチック製段ボールの内側基板を残して切れ目ａと平行に切り込んで切れ目ｂ（図６参照）を設け、その切れ目ｂにおいて、図５に点線で示すように内向きに屈曲させて折曲板部２ｂを形成している。折曲板部２ｂには、その折曲角部分を一部切り欠いて、組み立て時に背板１の係合穴８…に係合する複数の係合凸部２ｃ…を等間隔に設けている。係合凸部２ｃ…は、折曲板部２ｂの延出方向と逆向きに突設している。さらに、折曲板部２ｂには、その内側板面に、係合凸部２ｃ…と背板１の係合穴８…との掛け止め合いを外す折り畳み時にに使用する、図２に示すような円弧状をなす樹脂製の取っ手１１を付設している。
【００１６】
他方、他側（図中右側）の回動側板３は、幅広矩形なプラスチック製段ボールの１枚板をＬ板状に２つ折りし、そのうちの片側板部を用いて形成される。残りの他側板部は、箱本体Ａの正面開口Ｓを開閉する蓋板部１５を形成する。そして、蓋板部１５と回動側板３との境界位置に、プラスチック製段ボールの外側基板を残して切り込んで切れ目を設け、その切れ目にて外側基板がヒンジとなって蓋板部１５を回動させて開閉できるようにしている。蓋板部１５には、ヒンジ側と反対のフック側側縁に、同様な切れ目を設けて屈曲自在にした止め板片１５ａを形成し、その止め板片１５ａに間隔をあけて一対の止め穴１６・１６を設けている。さらに、回動側板３は、そのヒンジ位置において板部を、樹脂製補強フレーム１０の縦フレーム材１０ｂで挟着して固持されている。
【００１７】
さらに、回動側板３は、回動側板２と同様、一側部３ａに、プラスチック製段ボールの内側基板を残して縦フレーム材１０ｂに沿う長さ方向に切れ目ａを設け、その切れ目ａを支点として、図５中点線で示すように箱本体Ａの内側へ揺動できるようになっている。また、他側部には、プラスチック段ボールの内側基板を残して切れ目ａと平行に切れ目ｂを設け、その切れ目ｂにおいて、内向きに屈曲させて折曲板部３ｂを形成している。折曲板部３ｂには、その折曲角部分を一部切り欠いて、組み立て時に背板１の係合穴８…に係合する複数の係合凸部３ｃ…を等間隔に設けている。係合凸部３ｃ…は、折曲板部３ｂの延出方向と逆向きに突設している。さらに、折曲板部３ｂにも、その内側板面に、回動側板２の場合と同様に、係合凸部３ｃ…と背板１の係合穴８…との掛け止め合いを外す折り畳み時に使用する、円弧状の樹脂製取っ手１１を付設している。
【００１８】
なお、補強フレーム１０において、縦フレーム材１０ｂと、上記回動側板２を固持した縦フレーム材１０ａには、それぞれ長さ方向略中間位置に、樹脂製の掛止フック１７を固着している。掛止フック１７には、折り畳み時に背板１の掛止穴９・９に掛け止める一対の爪状フック部１７ａ・１７ａ（図７参照）が、回動側板３の板面に向く内向きに設けられている。加えて、縦フレーム１０ａには、蓋板部１５の止め穴１６・１６と対応する位置に、樹脂製止め具１８・１８（図１〜図４参照）が固着されている。止め具１８・１８は、蓋板部１５を閉じてロックするとき、蓋板部１５の止め穴１６・１６に突起１８ａを係合させ、その突起１８ａに掛止穴１８ｂを通し、フレキシブルな掛け板片１８ｃを屈曲させて掛け止める構造になっている。
【００１９】
屈曲端板４・５は、回動側板２・３と同様、プラスチック製段ボールの芯材が背板１に対し直交方向の剛性が高まる向きになるように、背板１から曲げ起こして使用する。屈曲端板４・５は、それぞれ一側部４ａ・５ａの上端縁に、上から樹脂製補強フレーム１０の横フレーム材１０ｃ・１０ｄを嵌着して固持している。そして、屈曲端板４・５は、図５に示すように、一側部４ａ・５ａに、プラスチック製段ボールの内側基板を残して縦フレーム１０ｃ・１０ｄに沿って切れ目ｃを設け、その切れ目ｃにて内側基板がヒンジとなって箱本体Ａの内側へ折り込み可能にしている（図４参照）。また同様に、他側部４ｂ・５ｂにも切れ目ｄを設けて、その切れ目ｄにて内側へ折り込み可能にしている。さらに屈曲端板４・５は、これら切れ目ｃ・ｄ間の略中間位置にも、プラスチック製段ボールの外側基板を残して切れ目ｃ・ｄと平行に切れ目ｅを設けて、その切れ目ｅを支点として外側基板がヒンジになって内側へ折り込み可能になっている。
【００２０】
そして、上述した構成の箱本体Ａは、補強フレーム１０の四隅に樹脂製のＬ片連結具１９を嵌着し、各フレーム材１０ａ〜１０ｄ間を締結して一体化し、これにより、背板１および屈曲端板４・５と、回動側板２・３を一体的に結合してなる。
【００２１】
さて、棚組立体Ｂは、図１に示すように、履物類を載せる複数の水平な棚板２０…と、箱本体Ａ内で履物類の収納空間を左右に仕切る一対の垂直な仕切板２１・２２とで構成される。
【００２２】
棚板２０は、それぞれ矩形な１枚のプラスチック製段ボールを用い、その段ボール両端部２０ａ・２０ｂ側に、下側基板を残して短手な幅方向に切れ目ｆ・ｆを設けると共に、両切れ目ｆ・ｆの中間に、下側基板を残して幅方向に同様な切れ目ｇを設けて、各棚板２０を上向きに折り込み可能に形成している。斯かる棚板２０は、それぞれ基端部２０ａを、回動側板２・３の内面に接着して箱本体Ａの高さ方向に多段に配設する一方、先端部２０ｂを、仕切板２１・２２に接着して仕切板２１・２２を回動側板２・３と略平行に保持している。
【００２３】
仕切板２１・２２は、回動側板２・３より若干短い幅サイズの縦長矩形のプラスチック製段ボールを用い、図７に示すように、互いの対向面２１ａ・２２ａに複数の面ファスナーｍが貼設されている。面ファスナーｍとしては、例えば共に無数の微小な、鉤状フックを有するオス側テープと、ループを有するメス側テープとを貼り合わせて剥離自在に止着させて使用する、所謂マジックテープ（登録商標）を用いる。そして、仕切板２１・２２を、互いの対向面２１ａ・２２ａに面ファスナーｍを介して貼り合わせて剥離自在に形成している。
【００２４】
さらに、この棚組立体Ｂにおいて、特に最下段に位置する左右の棚板２０は、図１および図８に示すように、それぞれ両端部２０ａ・２０ｂを比較的足長に形成し、そのうちの基端部２０ａを回動側板２・３の内面に接着して固定する一方、先端部２０ｂを仕切板２１・２２に対し面ファスナーｍで貼り合わせて剥離自在に形成している。この先端部２０ｂには、下面にも面ファスナーｍを貼着している。そして、組み立て時、先端部２０ｂを仕切板２１・２２から隔離したときは、その先端部を回動側板２・３側の基端部２０ａに面ファスナーｍで貼着して折り重ねて、箱本体Ａの最下段に、２段分の高さを有する長靴収納空間Ｗが形成されるようになっている。
【００２５】
なお、図示例では、先端部２０ｂを仕切板２１・２２に対し面ファスナーｍで貼り合わせて剥離自在に形成したが、基端部２０ｂを回動側板２・３に対し面ファスナーｍで貼り合わせて剥離自在に形成し、同様な長靴収納空間Ｗを最下段に形成することもできる。また、先端部２０ｂと基端部２０ａの双方を、仕切板２１・２２又は回動側板２・３に対し面ファスナーｍで貼り合わせて剥離自在に形成し、同様な長靴収納空間Ｗを最下段に形成することもできる。
【００２６】
さて、引越時、上述した構成の履物類収納ボックスを組み立てるときは、屈曲端板４・５を直立させた状態で、回動側板２・３を互いに離れる外向きに揺動させて、係合凸部２ｃ・３ｃを背板の係合穴８に係合させて掛け止める。それから、回動側板２・３側から棚組立体Ｂの棚板２０…を引き伸ばして仕切板２１・２２を貼り合わせると、図１に示すように簡易な下駄箱状に組み立てられる。
【００２７】
そして、履物類を梱包するときは、図９に示すように、棚板２０上に履物類を載せて箱本体Ａ内に収納する。最下段の長靴収納空間Ｗには、甲の高い長靴などを収納することができる。履物類を収納して後、蓋板部１５を閉じて、図３および図４に示すように、止め穴１６・１６に止め具１８・１８の突起１８ａを係合させ、その突起１８ａに掛止穴１８ｂを通して掛け板片１８ｃを掛け止めてロックするだけでよい。しかる後、指掛け穴６に指を掛けて箱ごと持ち運び、引越先へと輸送する。
【００２８】
図示履物類収納ボックスの使用後、これを折り畳む場合は、まず回動側板２・３を、図２で示した取っ手１１を持ち、図１０に示すように交互に箱本体Ａの内側に回動させて、折曲板部２ｂ・３ｂの係合凸部２ｃ・３ｃを背板１の係合穴８…から外し、回動側板２・３を折り重ねる。すると、棚組立体Ｂが棚板２０…を折り曲げながら折り畳まれると同時に、屈曲側板４・５が支えを失って、図１１に示すように箱本体Ａの内側に自然と折れ曲がる。そして、補強フレーム１０を持って更に上から押えると、掛止フック１７の爪状フック部１７ａ・１７ａが背板１の掛止穴９・９に係合し、履物類収納ボックスは、図１２に示すように、薄箱状の折り畳み状態でロックされる。あとは、組み立て時と同様に、蓋板部１５を閉めて、止め具１８・１８を掛け止めるだけでよい。
【００２９】
【発明の効果】上述のように構成した本発明によれば、次のような効果が得られる。
【００３０】
請求項１に記載の発明によれば、（１）紙製段ボール箱や梱包用紙類やシール用テープなど、使い捨て梱包資材を全く必要とせず、従来のように使用後に梱包資材のゴミを発生させることが、一切なく、その結果、引越事業においても、資源の有効利用を実現して環境を保全する昨今の社会的要請に十分応えることができる。（２）履物類の包装作業をなくし、その他の梱包・開梱作業を手間なく簡単にして全体の引越作業効率を格段に向上させることができる。（３）使い捨て梱包資材を一切必要とせず、頻繁に行われる引越業務にあって、繰り返し使用することができ、それだけ梱包資材費を削減して全体の引越コストを著しく低減させることができる。（４）比較的軽量で、しかも折り畳んでコンパクト化が図れるため、取扱いや持ち運びに極めて便利であると共に、保管したり搬送したりする場合に必要な設置スペースを著しく小さくすることもできる。
【００３１】
請求項２に記載の発明によれば、加えて、履物類収納ボックスを折り畳む場合に、回動側板を、取っ手を持って交互に箱本体の内側に回動させることにより、折曲板部の係合部と背板の被係合部穴との掛け止め合いを簡単に外してスムーズに折り重ねることができ、これによって、棚組立体も棚板を折り曲げながら簡単に折り畳まれると同時に、屈曲側板をも箱本体の内側へ自然と折り曲げることができる。その結果、履物類収納ボックスを、全体にワンタッチで簡単に薄箱状に折り畳むことができる。
【００３２】
請求項３に記載の発明によれば、加えて、箱本体の最下段に簡単に長靴収納空間を形成することができ、引越時、それだけ多様な形状の履物類の収納に適合させることができる。
【図面の簡単な説明】
【図１】本発明による引越用の履物類収納ボックスの内部構造を、蓋板部を開けて示す斜視図である。
【図２】その履物類収納ボックスを示す平面図である。
【図３】履物類収納ボックスを使用状態で示す外観斜視図である。
【図４】履物類収納ボックスを使用状態で示す側面図である。
【図５】履物類収納ボックスを使用状態で示す端面図である。
【図６】履物類収納ボックスの回動側板の構造を示す部分側面図である。
【図７】履物類収納ボックスを、棚組立体の仕切板を剥離した状態で内部構造を示す斜視図である。
【図８】履物類収納ボックスの棚組立体の最下段部の構造を示す部分斜視図である。
【図９】履物類収納ボックスを履物収納状態で示す斜視図である。
【図１０】履物類収納ボックスを、回動側板の折り重ね状態において示す斜視図である。
【図１１】履物類収納ボックスを、屈曲端板の折り曲げ状態において示す斜視図である。
【図１２】履物類収納ボックスを、折り畳み状態において示す外観斜視図である。
【符号の説明】
Ａ                箱本体
Ｂ                棚組立体
Ｓ                正面開口
Ｗ                長靴収納空間
ａ〜ｇ            切れ目
ｍ                面ファスナー
１                背板
２・３            回動側板
２ｂ・３ｂ        折曲板部
２ｃ・３ｃ        係合凸部（係合部）
４・５            屈曲端板
７                被係止板片
８                係合穴（被係合部）
９                掛止穴（被掛止部）
１０              補強フレーム
１１              取っ手
１５              蓋板部
１７              掛止フック
２０              棚板
２０ａ            棚板の基端部
２０ｂ            棚板の先端部
２１・２２        仕切板
【図１】
2004331143.tif 000003
【図２】
2004331143.tif 000004
【図３】
2004331143.tif 000005
【図４】
2004331143.tif 000006
【図５】
2004331143.tif 000007
【図６】
2004331143.tif 000008
【図７】
2004331143.tif 000009
【図８】
2004331143.tif 000010
【図９】
2004331143.tif 000011
【図１０】
2004331143.tif 000012
【図１１】
2004331143.tif 000013
【図１２】
2004331143.tif 000014